(57)【要約】【課題】タンク内の圧力を負圧にさせることなく、気密状態で他のタンクへ送出することができる液体送出システムを提供する。【解決手段】液体Ｌが充填される第１タンク１内の液体Ｌを、サクション管３と送液ホース５とポンプ４とによって、第２タンク２へ送出するようにした液体送出システムにおいて、サクション管３は、第１タンク１の上端口部に気密状態で装着した蓋部材７を貫通するように設けると共に、サクション管３の上端部側には、蓋部材７を気密パッキン１１を介して貫通して下端部が第１タンク１内の空隙相１０に連通し且つ上端部が閉塞された外套管８を同心状に套嵌し、サクション管３の上端部を送液ホース５に接続し、蓋部材７の上方に突出した外套管８の上部側を、先端部が外気に通じる通気ホース９に連通連結する。【選択図】図２
2014024586.tif 000002
【特許請求の範囲】
【請求項１】
所要の液体が充填される第１タンク内の液体を、その液体中に挿入されるサクション管とこれに接続される送液ホースとポンプとによって、第２タンクへ送出するようにした液体送出システムにおいて、
サクション管は、第１タンクの上端口部に気密状態で装着した蓋部材を貫通するように設けると共に、このサクション管の上端部側には、蓋部材を気密パッキンを介して貫通して下端部が第１タンク内の空隙相に連通し且つ上端部が閉塞された外套管を同心状に套嵌し、サクション管の上端部を送液ホースに接続し、蓋部材の上方に突出した外套管の上部側を、先端部が外気に通じる通気ホースに連通連結してなる液体送出システム。
【請求項２】
通気ホースの先端部には、虫、塵等の異物の入り込みを防ぐと共に悪臭ガス及び有害ガスを吸収するフィルター装置を設けてなる請求項１に記載の液体送出システム。
【請求項３】
フィルター装置は、大気開放構造となっている請求項２に記載の液体送出システム。
【請求項４】
フィルター装置は、シール液によって外気と遮断された構造となっている請求項２に記載の液体送出システム。
【発明の詳細な説明】
【技術分野】
【０００１】
本発明は、液体薬品や液体食品等を充填した一つのタンク内の液体を、サクション管、及びこれに接続されて途中にポンプを介在させた送液ホースによって、例えば計量タンクのような他のタンクへ送出するようにした液体送出システムに関するもので、特に、液体を充填したタンク内の空隙相に溜まった悪臭ガス等を外部に拡散させずに気密状態で他のタンクへ送出し、それにより作業環境を改善するようにした液体送出システムに関する。
【背景技術】
【０００２】
従来この種の液体送出システムとしては、例えば  下記特許文献１に記載のようなものがある。これは、液体薬品を貯留した一つのタンクの上方よりタンク上壁部を気密状態で貫通するサクション管を設けて、このサクション管の下端部をタンク内の底部近くまで延ばし、サクション管の上端部を、ポンプを介在させた通気ホースによって他のタンクに接続する一方、前記一つのタンク内の空隙相からガスを吸引する吸引手段を設けたもので、液体薬品に起因して悪臭ガス等が発生するような場合に、そのガスがタンクの外部に拡散することを防止するようにしている。
【先行技術文献】
【特許文献】
【０００３】
【特許文献１】特開２００２−２３９５３２号公報
【発明の概要】
【発明が解決しようとする課題】
【０００４】
上記のような従来の液体送出システムによると、タンク内の空隙相に溜まった悪臭ガス等を吸引手段によって吸引するから、そのガスがタンク外部へ拡散せず、作業環境の悪化を防止することができるが、タンク内の空隙相からの気体をポンプで吸引して、タンク内の空隙相が負圧になるようにしていることから、タンクが変形する恐れがあり、タンクとして、例えば肉厚の比較的薄いポリタンクのようなものを使用できないと云った問題がある。
【０００５】
本発明は、上記の事情に鑑み、タンク内の圧力を負圧にさせることなく、そのタンク内の空隙相に溜まった悪臭ガス等をタンク外部へ拡散させないように気密状態で他のタンクへ送出することができ、それにより作業環境を改善し得る液体送出システムを提供することを目的とする。
【課題を解決するための手段】
【０００６】
上記課題を解決するための手段を、後述する実施形態の参照符号を付して説明すると、請求項１に係る発明は、所要の液体Ｌが充填される第１タンク１内の液体Ｌを、その液体Ｌ中に挿入されるサクション管３とこれに接続される送液ホース５とポンプ４とによって、第２タンク２へ送出するようにした液体送出システムにおいて、
サクション管３は、第１タンク１の上端口部に気密状態で装着した蓋部材７を貫通するように設けると共に、このサクション管３の上端部側には、蓋部材７を気密パッキン１１を介して貫通して下端部が第１タンク１内の空隙相１０に連通し且つ上端部が閉塞された外套管８を同心状に套嵌し、サクション管３の上端部を送液ホース５に接続し、蓋部材７の上方に突出した外套管８の上部側を、先端部が外気に通じる通気ホース９に連通連結してなることを特徴とする。
【０００７】
請求項２は、請求項１に記載の液体送出システムにおいて、通気ホース９の先端部には、虫、塵等の異物の入り込みを防ぐと共に悪臭ガス及び有害ガスを吸収するフィルター装置２３Ａ，２３Ｂを設けてなることを特徴とする。なお、このフィルター装置は、屋内及び屋外など設置箇所を適宜選択することができる。
【０００８】
請求項３は、請求項２に記載の液体送出システムにおいて、フィルター装置２３Ａは、大気開放構造となっている。
【０００９】
請求項４は、請求項２に記載の液体送出システムにおいて、フィルター装置２３Ｂは、シール液によって外気と遮断された構造となっている。
【発明の効果】
【００１０】
上記解決手段による発明の効果を、後述する実施形態の参照符号を付して説明すると、請求項１に係る発明の液体送出システムによれば、ポンプ４の運転時に、第１タンク１内の液体Ｌを第２タンクへ送出する時、第１タンク１内の空隙相１０が負圧になるが、通気ホース９の先端部が外気に通じているため、その負圧を補おうとして、外気が空隙相１０内に供給され、それにより空隙相１０が負圧となるのを阻止でき、第１タンク１として、肉厚の比較的薄いポリタンク等の使用が可能となる。
【００１１】
請求項２に係る発明のように、通気ホース９の先端部に、虫、塵等の異物の入り込みを防ぐと共に悪臭ガス及び有害ガスを吸収できるフィルター装置２３Ａ，２３Ｂを設けた場合には、第１タンク１内の液体Ｌに虫、塵等の異物が入り込むことがないため、当該液体Ｌが汚染されることがなく、高品質を維持することができる。それゆえ、第１タンク１内の液体Ｌを清浄に保ったまま、第２タンク２へ送出することができる。
【００１２】
請求項３に係る発明のように、大気開放構造のフィルター装置２３Ａを用いた場合は、ポンプ４の運転時には第１タンク１内の空隙相１０が負圧になるのを阻止でき、ポンプ４の停止時には第１タンク１内の空隙相１０の圧力上昇を防ぐことができる。
【００１３】
請求項４に係る発明のように、シール液Ｓによって外気と遮断された構造のフィルター装置２３Ｂを使用した場合も、ポンプ４の運転時に第１タンク１内の空隙相１０が負圧になるのを阻止でき、ポンプ４の停止時に第１タンク１内の空隙相１０の圧力上昇を防ぐことができ、そして、特にこのフィルター装置２３Ｂを使用すれば、気体の拡散による混ざり合いを回避することができる。例えば第１タンク１内の液体Ｌがアミンである場合に、外気の拡散により空気中の二酸化炭素がフィルター装置を介して通気ホース９から第１タンク１内の空隙相１０に供給されると、アミンが二酸化炭素と結合して炭酸アミンの結晶となり、ホースや配管に詰まりを生じるなどの弊害となるが、シール液Ｓにより外気と遮断することによって、そのような弊害を緩和できる。
【図面の簡単な説明】
【００１４】
【図１】本発明に係る液体送出システムを示す全体説明図である。
【図２】図１の矢印Ｘで示す部分の拡大断面図である。
【図３】フィルター装置の一例を示す断面図である。
【図４】フィルター装置の他の例を示す断面図である。
【発明を実施するための形態】
【００１５】
以下に本発明の好適な一実施形態を図面に基づいて説明すると、図１に示す液体送出システムは、所要の液体を充填して建物の外壁Ｗ内、即ち屋内に配置された第１タンク１内の液体を、サクション管３（図２参照）と、このサクション管３に接続される送液ホース５と、途中にポンプ４を介在させた送液ホース５によって、同じ屋内に配置された計量タンク等の第２タンク２へ送出するようにしたものである。
【００１６】
図２に示すように、第１タンク１の上端部にある口部６には蓋部材７が気密状態で装着され、この蓋部材７は、内周面に雌ねじ１２ａが切ってある周壁部１２と、これの上端からを内向き直角に突設されたフランジ状押え板部１３とからなるもので、周壁部１２の雌ねじ１２ａを口部６の外周面に切ってある雄ねじ６ａに螺合して締め付けることにより、押え板部１３が下動して口部６の上端面に近づくようになっている。
【００１７】
サクション管３は、第１タンク１の上端口部に装着された蓋部材７を貫通して、その下端部が第１タンク１内の底部近く迄挿入されるように設けられる。このサクション管３の上端部側には、サクション管３を囲繞するように蓋部材７の中央開口部７ｏを貫通して、下端部が第１タンク１内の空隙相１０に連通し且つ上端部が気密状態に閉塞された外套管８が同心状に套嵌されている。この外套管８は、蓋部材７の中央開口部７ｏを貫通する下部外套管８ａと、下端部が下部外套管８ａの上端部に気密状態に連結され且つ上端部が閉塞された上部外套管８ｂとからなるもので、下部外套管８ａの下端部が第１タンク１内の空隙相１０に連通しており、上部外套管８ｂは、先端部が屋外で外気に通じる通気ホース９にホースジョイント２２を介して連通連結している。
【００１８】
外套管８の下部外套管８ａには、円板状のパッキン押え１４が同心状に固着され、このパッキン押え１４の下面側には円板状の気密パッキン１１が下部外套管８ａに挿通された状態で取外し可能に配置され、また下部外套管８ａの下部側には、円板状の気密パッキン１１を支持する円板状のパッキン支持板１５が、その中央部の雌ねじ１６と下部外套管８ａの下端部の雄ねじ１７との螺合によって上下動自在に取り付けられている。しかして、図２に示すように、気密パッキン１１を口部６の上端面に載置させてこれを支持するようにパッキン支持板１５を高さ調整すれば、外套管８と一体を成すパッキン押え１４が口部６の上端面に載置された気密パッキン１１の外周縁部を押さえた状態となり、この状態で蓋部材７を締付方向に回転させることにより、蓋部材７の押え板部１３がパッキン押え１４を介して気密パッキン１１を口部６の上端面に押さえ付けて、口部６を密閉状態に保持すると共に、パッキン押え１４を介して外套管８を口部６の中心部に固定する。
【００１９】
また図２に示すように、上部外套管８ｂには、この上部外套管８ｂの上端部を閉塞する閉塞部材１８を内挿した特殊ニップル１９を介してエルボ２０の一端部が連結され、エルボ２０の他端部は、ホースジョイント２１を介して送液ホース５に連結されており、しかしてサクション管３の上端部は、特殊ニップル１９、エルボ２０及びホースジョイント２１を通って送液ホース５に連通している。また上部外套管８ｂは、図２に示すように通気ホース９に連通連結しており、この通気ホース９は、図１に示すように建物の外壁Ｗを貫通して建物の外へ延びている。通気ホース９の先端部には、塵や虫の入り込みを防ぐと共に悪臭ガス及び有害ガスを吸収するフィルター装置２３Ａ（又は２３Ｂ）が設けられている。
【００２０】
図３は通気ホース９の先端部に設けられる吸気フィルター装置２３Ａを示す。この図３において、２４は上端が開口した有底円筒状のケーシング、２５はケーシング２４の上端開口部を閉鎖する上蓋で、その内周部に設けた雌ねじ２５ａをケーシング２４の上端外周部に設けた雄ねじ２４ａに螺合させることによって取外し自在に取り付けられる。２６はケーシング２４内の上部に嵌め込まれた筒状保持具、２７は外気に通じている吸気孔で、筒状保持具２６の側壁からケーシング２４の側壁を貫通して外方へ下向きに延びている。この吸気孔２７が下向きに設けあるため、ポンプ４の運転時、新鮮な空気を取り入れる時に雨の混入を防止できる。２８はステンレス製の金網で、筒状保持具２６内の底部近くに張り渡されている。２９は筒状保持具２６の下面沿いに設けられた多孔状の整流板で、吸気孔２７より吸引した空気の流れが均一になるように整流することができる。３０は整流板２９と同様な整流板で、ケーシング２４の底部近くに張り渡されている。３１は上部側整流板２９と下部側整流板３０との間の空間部の上部側に設けられたフィルターで、塵やホコリを除去することができる。３２は前記空間部の下部側に設けられたフィルターで、悪臭ガスや有害ガスを吸収することができる。３３は下部側の整流板３０を保持する筒状保持具である。また３４は筒状保持具３３の側壁からケーシング２４の側壁を貫通して外向きに開口する排気口で、この排気口３４の外端部にホースジョイント３５を介して通気ホース９の先端部が接続されている。
【００２１】
上述した図１〜図３に示すような液体送出システムの作用につき以下に説明する。尚、第１タンク１に充填されている液体Ｌは、粘度が低くポンプで移送可能な液体を対象としており、水・薬品類・油脂類・食品類などを対象としている。油脂類としては、例えば、灯油・シンナー・軽油・Ａ重油・塗料なのであり、食品類としては、例えば、醤油・油脂類（ラー油、菜種油、オリーブ油等）・ソース、アルコール類・お酢類などを対象としている。
【００２２】
先ず、ポンプ４を運転すると、サクション管３によって第１タンク１内の液体Ｌが吸引され、この液体Ｌは、サクション管３から送液ホース５によって第２タンク２へ送出される。ポンプ４の運転時には、第１タンク１内の液体Ｌが送出されるに伴って、第１タンク１内の空隙相１０が負圧になるが、通気ホース９の先端部が吸気フィルター装置２３Ａを介して外気に通じているため、その負圧を補おうとして、外気が空隙相１０内に供給される。
【００２３】
即ち、ポンプ４の運転時は、第１タンク１内の液体Ｌは、サクション管３から送液ホース５を通って第２タンクへ送出される一方、第１タンク１内の空隙相１０が負圧になることによって、外気が吸気フィルター装置２３Ａの吸気孔２７より吸引され、その外気は、フィルター装置２３Ａ内を通ることにより濾過されて、通気ホース９から外套管８（下部外套管８ａ）の下端部から空隙相１０に供給される。この時、吸気フィルター装置２３Ａの吸気孔２７から虫、塵、ホコリ等の異物が吸引されると、その虫や塵等の異物はステンレス製の金網２８により捕獲除去され、またその金網２８によっては除去され得なかった異物、あるいは外気に悪臭や有害ガスが含まれる場合、それらの異物、悪臭や有害ガスはフィルター３１によって吸収され、しかして新鮮な空気が第１タンク１内の空隙相１０に供給される。そしてまた、吸気フィルター装置２３Ａ内に吸引された空気は、整流板２９，３０により整流されて、均一な流れとなる。
【００２４】
また、ポンプ４の停止時に、第１タンク１内の液体Ｌが蒸発した場合は、その蒸発したガスによって第１タンク１内の空隙相１０の圧力が外気より高くなるため、その蒸発ガスは、外套管８の下端開口よりこの外套管８内を通って通気ホース９より吸気フィルター装置２３Ａに流入する。この場合、液体Ｌが揮発性の有害な薬液であれば、蒸発した有害ガスは、吸気フィルター装置２３Ａのフィルター３２により吸収されて、吸気孔２７から排気されるから、吸気フィルター装置の周辺を汚染することがない。
【００２５】
上記吸気フィルター装置２３Ａには２つの働きがある。その一つは、上述したように、ポンプ４の運転時、第１タンク１内の液体Ｌをサクション管３及び送液ホース５によって吸引送出すると、第１タンク１内の空隙相１０が負圧になることからそれを補うために空隙相１０内に外気（空気）を供給する働きである。もう一つの働きは、ポンプ４の停止時に第１タンク１内の液体Ｌが蒸発するか、又は、温度が上昇すると、第１タンク１内の空隙相１０の圧力が上昇するため、その圧力を逃がして圧力上昇を防ぐ働きである。
【００２６】
以上説明したような液体送出システムによれば、ポンプ４の運転時に、第１タンク１内の液体Ｌを第２タンクへ送出する時、第１タンク１内の空隙相１０が負圧になるが、通気ホース９の先端部が外気に通じているため、その負圧を補おうとして、外気が空隙相１０内に供給され、それにより空隙相１０が負圧となるのを阻止でき、第１タンク１として、肉厚の比較的薄いポリタンク等の使用が可能となる。
【００２７】
図４は、通気ホース９の先端部に設けられる湿式微圧シールタイプのフィルター装置２３Ｂを示す。この図４において、３６は上端が開口した有底円筒状の下部ケーシングで、シール液（水又は吸収液）Ｓが貯められる。この下部ケーシング３６の側壁下部には、シール液オーバーフロー管３８が先端部を下向きにして設けられ、また側壁上部には吸気孔を兼ねたシール液補充孔３９が設けられる。３７は下部ケーシング３６より僅かに径小の有底円筒状上部ケーシングで、底壁中央に開口部４１が設けてあり、底壁下面からは円筒状のシール筒４０が同心状に垂下連設され、しかしてこの上部ケーシングは、シール筒４０を下部ケーシング３６内に挿入させた状態で、側壁下端部外周に設けた雄ねじ３７ａを下部ケーシング３６の側壁上端部内周面に設けた雌ねじ３６ａに螺合させることにより、図示のように下部ケーシング３６の上端部に嵌合させた状態に固定される。
【００２８】
また図４において、４２は上部ケーシング３７の上端開口部を閉鎖する上蓋で、その内周部に設けた雌ねじ４２ａを上部ケーシング３７の上端外周部に設けた雄ねじ４２ａに螺合させることにより取外し自在に取り付けられる。この上蓋４２は、エルボ４９とホースジョイント５０を介して通気ホース９の先端部に接続される。４３は上部ケーシング３７内の上部側に嵌め込まれた筒状保持具であり、この筒状保持具４３内の下部側には虫や塵等を除去するステンレス製の金網４４が張り渡され、また筒状保持具４３の下面側沿いに整流板４５が設けてある。４６は上部ケーシング３７内の下部側に嵌め込まれた筒状保持具で、この筒状保持具４６の上面側沿いに整流板４７が設けられ、この下部側整流板４７と上部側の整流板４５との間には、金網４４で除去され得なかった塵等や、悪臭ガス及び有害ガスの成分を除去し、また余分な水滴を取り除くフィルター４８が設けてある。
【００２９】
上記湿式微圧シール式フィルター装置２３Ｂにも２つの働きがある。その一つは、上述したように、ポンプ４の運転時、第１タンク１内の液体Ｌをサクション管３及び送液ホース５によって吸引送出すると、第１タンク１内の空隙相１０が負圧になることからそれを補うために空隙相１０内に空気を供給する働きであり、もう一つの働きは、ポンプ４の停止時に第１タンク１内の液体Ｌが蒸発するか、又は、温度上昇すると、その第１タンク１内の空隙相１０の圧力が上昇するため、その圧力を逃がして圧力上昇を防ぐ働きである。
【００３０】
また、この湿式微圧シール式フィルター装置２３Ｂには、シール液オーバーフロー管３８が設けられ、シール液Ｓが一定量以上に溜まらない構造となっているから、ポンプ４の運転時に第１タンク１内の空隙相１０が負圧になって吸引されても、シール液Ｓがシール筒４０より上がることがなく、従って上部ケーシング３７内のフィルター４８を浸水させるおそれがない。
【００３１】
また、気体は、通常、拡散によって混ざり合うが、上述した図４に示す湿式微圧シール式フィルター装置２３Ｂは、シール液Ｓによって外気と遮断され、気体の拡散による混ざり合いが起きない構造になっている。従って、例えば第１タンク１内の液体Ｌがアミンである場合に、外気の拡散により空気中の二酸化炭素がフィルター装置を介して通気ホース９から第１タンク１内の空隙相１０に供給されると、アミンが二酸化炭素と結合して炭酸アミンの結晶となり、ホースや配管に詰まりを生じるなどの弊害となるが、シール液Ｓによって外気と遮断することによって、そのような弊害を緩和することができる。
【００３２】
以上説明した実施形態の液体送出システムでは、通気ホース９の先端部には、虫、塵等の異物の入り込みを防ぐと共に悪臭ガス及び有害ガスを吸収するフィルター装置２３Ａ，２３Ｂを設けているが、このようなフィルター装置２３Ａ，２３Ｂは、この発明の液体送出システムの必須要件ではなく、必要に応じて設ければよいものである。なお、このフィルター装置２３Ａ，２３Ｂは、屋内及び屋外など設置箇所を適宜選択することができる。
【符号の説明】
【００３３】
１            第１タンク
２            第２タンク
３            サクション管
４            ポンプ
５            送液ホース
６            第１タンクの口部
７            蓋部材
８            外套管
９            通気ホース
１０          第１タンク内の空隙相
１１          気密パッキン
２３Ａ        フィルター装置
２３Ｂ        フィルター装置
【図１】
2014024586.tif 000003
【図２】
2014024586.tif 000004
【図３】
2014024586.tif 000005
【図４】
2014024586.tif 000006